(57)【要約】      （修正有）【課題】移動の度に手を使わなくてすみ、また、台車のように場所を選ばなくても転ぶ心配がないことを実現する尻当てを提供する。【解決手段】前掛けの形をしていて前布１の周囲に紐通し部を設けて紐を通し、紐の両端と下中央部を止め付け、下中央部にベルト通し５を設ける。前で交差した前掛けの紐を、前布１の周囲の穴７から引張り出した紐の輪８に左右それぞれに通し、その片方の前掛の紐を下中央部のベルト通し５に通して引っ張り、前布１の周囲を縮めて尻部を包む様にして結ぶ９と尻当てとして使用できる。【選択図】図２
2012026071.tif 000002
【特許請求の範囲】
【請求項１】
前掛の前布の周囲に紐通し部を設けそれに紐を通し紐の両端と下中央部を止め付け下中央部にベルト通しも設けて、前布を後に廻し前掛の紐を前で交差し太腿の付根あたりの紐通し部に紐を引き出せる穴を適宜あける。そして、前で交差した前掛の紐を穴から引っ張り出した紐の輪に左右それぞれ通し、次のその片方の前掛の紐を下中央部のベルト通しに通し引っ張り前布の周囲をちゞめて尻部を包む様にして結すべば尻当に使える前掛形尻当。
【発明の詳細な説明】
【技術分野】
【０００１】  本発明は、一般家庭の前掛形尻当に関する。
【背景技術】
【０００２】  従来の家庭用の尻当は、あり合せの紙、布、ナイロン、ハッポースチロール等を敷いて使ったり、又  製品としては四つの車輪の付いた腰掛の低い台車がある。【０００３】  以下、図５により従来の低い台車を説明する。図において、１０は車輪で１１は腰掛が出来る位の低い台を設けている。
【発明の開示】
【発明が解決しようとする課題】
【０００４】  以上述べた従来の尻当として使う物は別に持ち歩かなければならず、少こしづゝ移動するのにも手を添え使わなければならない。また  台車はブレーキがないのでころびやすく平らな所でないと安定が悪いので使いにくい、そして重量があるので持ち運びに大変である。【０００５】  本発明は、このように従来の構成が有していた問題を解決しようとするものであり、移動の度に手を使わなくてすみ、また、台車の様に場所をえらばなくても転ぶ心配がない物を実現する事を目的とするものである。
【課題を解決するための手段】
【０００６】そして、本発明は上記目的を達成するために前掛の形をしていて前布の周囲に紐通し部を設け紐を通し、その紐の両端と下中央部を止め付け下中央部にベルト通しも設ける。次に此の前掛の前布を後にして前掛の紐を前で交差し太腿の付根あたりの紐通し部に通した紐を引き出せる穴を適宜に明ける。【０００７】それから、前で交差した前掛の紐を、前布の周囲の引き出せる穴から引っ張り出した紐の輪に左右それぞれ通し、次に、其の片方の前掛の紐を下中央部のベルト通しに通して引っ張り前布の周囲を腎部を包む様にして縮め前掛の紐を結ぶと尻当として使える。【０００８】上記の課題を解決手段による作用は次の通りである。すなわち、前掛の形をしているので前掛としても使え、くるり後に廻わせば尻当にも使える便利な物である。
【発明の効果】
【０００９】  上述したように本発明の尻当は、前掛と兼用出来る。【００１０】  身につけているので移動の度に全く手を使う必要がなく手間が省ける。【００１１】  台車の様に平坦な所でなくても転ぶ心配がない。【００１２】  金属製の台車に比べ重量を殆ど感じない。そして安價である【００１３】  用便を足したい時は結んだ前掛の紐をほどけば、直ぐにゆるむので簡単である。【００１４】  以上、一般の人は勿論これからの高令化社会に歓迎される商品となるであらう。
【発明を実施するための最良の形態】
【００１５】  以下、本発明の実施の形態を図１〜図４に基づいて説明する。【００１６】  図においては、１は前掛の前布で、前布の周囲に紐通し部２を設け、それに紐３を通し紐の両端と下中央部４を止め付け下中央部にベルト通し５も設ける。【００１７】  次に、前布１を後に回し前掛の紐６を前で交差し太腿の付根あたりの紐通し部２に紐３を引き出せる穴７を適宜あける。【００１８】  そして、前で交差した前掛の紐６を穴７から引っ張り出した紐の輪８に左右それぞれ通し、次に片方の前掛の紐６を下中央部のベルト通し５に通し引り前布の周囲をちゞめて尼部を包む様にして結すべば９尻当になる。
【図面の簡単な説明】
【００１９】
【図１】  本発明の実施形態を示す前掛形尼当の斜射図
【図２】  同尻当の紐の扱い方を示す斜射図
【図３】  同尻当の紐を引き出せる穴を二づつ明けた時の斜射図
【図４】  同尻当を紐を着用した時の斜射図
【図５】  従来の尻当に使う台車
【符号の説明】
【００２０】  ２  紐通し部
３  紐
４  紐を止め付ける
５  ベルト通し
７  紐を引き出せる穴
８  紐の輪
９  紐を結ぶ
【図１】
2012026071.tif 000003
【図２】
2012026071.tif 000004
【図３】
2012026071.tif 000005
【図４】
2012026071.tif 000006
【図５】
2012026071.tif 000007
【手続補正書】
【提出日】平成22年11月15日(2010.11.15)
【手続補正１】
【補正対象書類名】特許請求の範囲
【補正対象項目名】請求項１
【補正方法】変更
【補正の内容】
【請求項１】
前掛の前布の周囲に紐通し部を設け、それに紐を通し紐の両端と下中央部を止め付け、前布を後に廻わし前掛の紐を前で交刃し太腿の付根あたりの紐通し部に紐を引き出せる穴を明け又前布の裾の股下にベルト通しを設ける。そして前で交差した前掛の紐を穴から引張り出した紐の輪に左右それぞれ通し次に片方の前掛の紐をベルト通しに通して引張り前布の周囲をちゞめて尻部を包む様にして結すべば尻当に使える前掛形尻当。
【手続補正２】
【補正対象書類名】明細書
【補正対象項目名】０００６
【補正方法】変更
【補正の内容】
【０００６】  そして、本発明は上記目的を達成するために前掛の形をしていて前布の周囲に紐通し部を設け紐を通し、その紐の両端と下中央部を止め付け、次に此の前掛の前布を後にして前掛の紐を前で交差し、太腿の付根あたりの紐通し部に通した紐を引き出せる穴を適宜に明け又前布の裾の股下にベルト通しを設ける。
【手続補正３】
【補正対象書類名】明細書
【補正対象項目名】０００７
【補正方法】変更
【補正の内容】
【０００７】  それから、前で交差した前掛の紐を、前布の円囲の引き出せる穴から引っ張り出した紐の輪に左右それぞれ通し、次に其の片方の前掛の紐をベルト通しに通して引っぱり前布の周圍で臀部を包む様にして縮め前掛の紐を結ぶと尻当てとして使える。
【手続補正４】
【補正対象書類名】明細書
【補正対象項目名】００１６
【補正方法】変更
【補正の内容】
【００１６】  図においては、１は前掛の前布で、前布の周囲に紐通し部２を設けそれに紐３を通し紐の両端と下中央部４を止め付ける。
【手続補正５】
【補正対象書類名】明細書
【補正対象項目名】００１７
【補正方法】変更
【補正の内容】
【００１７】  次に、前布１を後に廻わし前掛の紐を前で交差し太腿の付根あたりの紐通し部２に紐３を引き出せる穴７を明ける。又前布の裾の股下にベルト通しを設ける。
【手続補正６】
【補正対象書類名】明細書
【補正対象項目名】００１８
【補正方法】変更
【補正の内容】
【００１８】  そして、前で交差した前掛の紐を穴７から引っ張り出した紐の輪８に左右それぞれ通し、次に片方の前掛の紐６をベルト通し５に通し引張り前布の周囲をちゞめて尻部を包む様にして結すべば９尻当になる。